(57)【要約】  本発明は、スイッチ本体（３）と総数が２以上の電子スイッチ（１１）との間で押下力を伝達するための要素であって、前記スイッチがセグメント（Ｓ）の端部又は多角形（Ｐ）の頂点に配置され、スイッチ本体（３）の押下軸に沿って並進移動可能なＮ個のプランジャ（７）と、Ｎ個のプランジャ（７）を接続する可撓性フレーム（９）とを備える要素において、フレーム（９）が、それぞれのプランジャ（７）ごとに設けられ、それぞれが関連するプランジャ（７）を部分的に取り囲むバイパス部分（１３）と、閉じられた外側フレームを形成するようにバイパス部分（１３）を対にして接続する接続部分（１５）と、自由端でプランジャ（７）を支持するとともに、所定の方向で多角形（Ｐ）を辿って隣接するプランジャ（７）のバイパス部分に他端が接続される制御部材（１７）とを備えることを特徴とする要素に関する。
2020512672.tif 000002
【特許請求の範囲】
【請求項１】
スイッチ本体（３）と、セグメント（Ｓ）の端部又は多角形（Ｐ）の頂点に配置される２以上の整数Ｎの電子スイッチ（１１）との間にあって、前記スイッチ本体（３）の押下軸に沿って並進移動可能なＮ個のプランジャ（７）と、Ｎ個のプランジャ（７）を連結する可撓性フレーム（９）とを備える押下力伝達要素であって、前記フレーム（９）は、
それぞれのプランジャ（７）ごとに設けられ、それぞれが関連するプランジャ（７）を部分的に取り囲むバイパス部分（１３）と、
閉じられた外側フレームを形成するように前記バイパス部分（１３）を対にして連結するリンク部分（１５）と、
自由端でプランジャ（７）を支持するとともに、所定の方向で前記多角形（Ｐ）を辿って隣接するプランジャ（７）の前記バイパス部分に他端が連結される制御ビーム（１７）と、
を備えることを特徴とする押下力伝達要素。
【請求項２】
Ｎが４であり、前記多角形（Ｐ）が平行四辺形であることを特徴とする請求項１に記載の力伝達要素。
【請求項３】
前記多角形（Ｐ）が菱形又は正方形であることを特徴とする請求項２に記載の力伝達要素。
【請求項４】
Ｎ＝８であり、前記多角形（Ｐ）が八角形であることを特徴とする請求項１に記載の力伝達要素。
【請求項５】
フレーム（９）が前記プランジャ（７）と一体に形成されることを特徴とする請求項１から４のいずれか一項に記載の力伝達要素。
【請求項６】
前記プランジャ（７）及び前記フレーム（９）がプラスチック材料を成形することにより得られることを特徴とする請求項５に記載の力伝達要素。
【請求項７】
前記リンクビーム（１７）がそれらを伸長させる回旋部を備えることを特徴とする請求項１から６のいずれか一項に記載の力伝達要素。
【請求項８】
前記リンク部分（１５）がそれらを伸長させる回旋部を備えることを特徴とする、請求項１から７のいずれか一項に記載の力伝達要素。
【請求項９】
前記制御ビーム（１７）及び前記バイパス部分（１３）が互いの連続する延在部を成して形成されることを特徴とする請求項１から８のいずれか一項に記載の力伝達要素。
【請求項１０】
前記リンク部分（１５）と前記バイパス部分（１３）とが直角の接続部によって連結されることを特徴とする請求項１から９のいずれか一項に記載の力伝達要素。
【請求項１１】
押下によって２以上の整数Ｎの方向にしたがって傾斜され得るスイッチ本体（３）を備えるとともに、
セグメント（Ｓ）の端部又は多角形（Ｐ）の頂点に配置されるＮ個の電子スイッチ（１１）と、
前記スイッチ本体（３）の押下軸に沿って並進移動可能な硬質のＮ個のプランジャ（７）と、
Ｎ個のプランジャ（７）を連結するフレーム（９）と、
を備える制御モジュールであって、
前記フレーム（９）は、
それぞれのプランジャ（７）ごとに設けられ、それぞれが関連するプランジャ（７）を部分的に取り囲むバイパス部分（１３）と、
閉じられた外側フレームを形成するように前記バイパス部分（１３）を対にして連結するリンク部分（１５）と、
自由端でプランジャ（７）を支持するとともに、所定の方向で多角形（Ｐ）を辿って隣接するプランジャ（７）の前記バイパス部分に他端が連結される制御ビーム（１７）と、
を備えることを特徴とする制御モジュール。
【発明の詳細な説明】
【技術分野】
【０００１】
本発明は、並進スイッチを伴う制御モジュールのための力伝達要素又はプランジャのセットに関する。
【背景技術】
【０００２】
力伝達要素は、ユーザによりボタン本体及び電子スイッチに及ぼされる力を伝えるために指向性並進スイッチ又はクロススイッチを伴う制御モジュールで使用される。ボタン本体は、目に見え、装飾されるとともに、一般に制御モジュールの外側筐体と同じ材料から形成される。電子スイッチは、ボタン本体の下側に、通常はモジュールの底部にあるプリント回路基板上に位置される。
【０００３】
ボタン本体はユーザが相互作用する要素であり、一方、電子スイッチは、ボタン本体の押下の認識をもたらす電子信号を生成する。
【０００４】
より簡単で迅速な組み立てのため、「プランジャ」とも呼ばれる力伝達要素を、それらを連結するフレームによって互いに一体となるように製造することが知られている。これにより、組み立て中、プランジャのセットを単一の要素として操作できる。フレームは、一般に、多くの場合にプランジャと同じである可撓性のプラスチック材料から形成され、プランジャとともに一体に形成される。その結果、フレームの可撓性は、比較的硬質のままであるプランジャと比べてフレームのプラスチックの厚さが薄いことによりもたらされる。
【０００５】
プランジャが一般に数センチメートル（ｃｍ）未満の距離を隔てて互いに近接している場合、プランジャを連結するフレームは、力及び変形を伝えることができる。したがって、ユーザにより作動されるプランジャの押下は、１つ以上の隣接するプランジャを駆動させることができる。その結果、ユーザによるスイッチの作動は、隣接するスイッチの作動の望ましくない認識をもたらし得る。
【０００６】
この状況は、例えばサイドバックミラーの傾斜を制御するための方向性クロス制御モジュールにおいて特に直面される。指向性クロスにおいて、ユーザは、比較的平坦な、円形の、又は、十字形のボタン本体を直交方向に又は対角方向に傾ける。このとき、一般に４、８、又は、１６個の電子スイッチが、ユーザによりボタン本体に加えられる力を伝達する対応する数のプランジャによって押し下げられる。
【発明の概要】
【発明が解決しようとする課題】
【０００７】
隣接するプランジャへの力の伝達を回避するために、フレームを薄くすることができ、それにより、フレームの可撓性が更に高くなるが、操作がより脆弱となり、或いは、隣接するプランジャへの力の伝達を回避するために、フレームを形成する材料の組成を変えることができる。しかしながら、選択される材料は、多くの場合、プランジャの剛性及びコストに関して最適化され、フレームは、プランジャをアセンブリ上に保持して配置するためだけに使用される。
【課題を解決するための手段】
【０００８】
したがって、前述の問題を少なくとも部分的に解決するために、本発明の主題は、スイッチ本体と、セグメントの端部又は多角形の頂点に配置される２以上の整数Ｎの電子スイッチとの間にあって、スイッチ本体の押下軸に沿って並進移動可能なＮ個のプランジャと、Ｎ個のプランジャを連結する可撓性フレームとを備える押下力伝達要素であって、フレームが、
それぞれのプランジャごとに設けられ、それぞれが関連するプランジャを部分的に取り囲むバイパス部分と、
閉じられた外側フレームを形成するようにバイパス部分を対にして連結するリンク部分と、
自由端でプランジャを支持するとともに、所定の方向で多角形を辿って隣接するプランジャのバイパス部分に他端が連結される制御ビームと、
を備えることを特徴とする押下力伝達要素である。
【０００９】
このようにして得られる力伝達要素は、アセンブリのコンパクトさを低下させることなく、異なるプランジャ間の並進接続を減らすことができるようにする。
【００１０】
また、力伝達要素は、単独で又は組み合わせて、以下の特徴の１つ以上を備えることもできる。
【００１１】
Ｎが４で、多角形が平行四辺形である。
【００１２】
多角形が菱形又は正方形である。
【００１３】
Ｎ＝８であり、多角形が八角形である。
【００１４】
フレームがプランジャと一体に形成される。
【００１５】
プランジャ及びフレームは、プラスチック材料を成形することにより得られる。
【００１６】
リンクビームは、それらを伸長させる回旋部を備える。
【００１７】
リンク部分は、それらを伸長させる回旋部を備える。
【００１８】
制御ビーム及びバイパス部分は、互いの連続する延在部を成して形成される。
【００１９】
リンク部分及びバイパス部分が直角の接続部によって連結される。
【００２０】
本発明の他の主題は、押下によって２以上の整数Ｎの方向にしたがって傾斜され得るスイッチ本体を備えるとともに、
セグメントの端部又は多角形の頂点に配置されるＮ個の電子スイッチと、
スイッチ本体の押下軸に沿って並進移動可能な硬質のＮ個のプランジャと、
Ｎ個のプランジャを連結するフレームと、
を備える関連する制御モジュールであって、
フレームが、
それぞれのプランジャごとに設けられ、それぞれが関連するプランジャを部分的に取り囲むバイパス部分と、
閉じられた外側フレームを形成するように前記バイパス部分を対にして連結するリンク部分と、
自由端でプランジャを支持するとともに、所定の方向で多角形を辿って隣接するプランジャのバイパス部分に他端が連結される制御ビームと、
を備えることを特徴とする関連する制御モジュールである。
【００２１】
本発明の他の特徴及び利点は、例示的で非限定的な例として与えられる以下の説明及び添付図面を読むと更に明確に分かるようになる。
【図面の簡単な説明】
【００２２】
【図１】本発明に係る力伝達要素を備える制御モジュールを分解図で概略的に示す。
【図２】力伝達要素を平面図で概略的に示す。
【図３】力伝達要素の他の実施形態を平面図で概略的に示す。
【図４ａ】力伝達要素を備える制御モジュールの断面図を示す。
【図４ｂ】力伝達要素を備える制御モジュールの断面図を示す。
【図５】別の力伝達要素の実施形態を平面図で示す。
【図６】別の力伝達要素の実施形態を平面図で示す。
【発明を実施するための形態】
【００２３】
全ての図において、同じ参照符号は同じ要素に関連する。
【００２４】
図面を参照して説明される実施形態は例である。説明は１つ以上の実施形態に言及するが、このことは、それぞれの言及が同じ実施形態に関連すること、或いは、特徴が単一の実施形態のみに適用されることを必ずしも意味しない。他の実施形態をもたらすために異なる実施形態の簡単な特徴を組み合わせる又は置き換えることもできる。
【００２５】
図１は、制御モジュール１を分解図で概略的に示す。制御モジュール１は、特に、例えば車外のバックミラーの向きを調整できるようにするために車内に配置されるようになっている。制御モジュール１は、特に、窓制御装置と同じ高さで、ドアの肘掛けに実装され得る。
【００２６】
制御モジュール１は、ここでは円盤形状を成すスイッチ本体３を備え、ユーザは、前記スイッチ本体３を特定方向に傾けるために力をスイッチ本体の縁部に加え、特定方向のうちの４つ（上Ｕ、下Ｄ、左Ｌ、右Ｒ）がスイッチ本体３の上面に矢印で表される。
【００２７】
スイッチ本体３は、円盤状以外の形態をとることができ、特に、スイッチ本体は、主作動方向の数に対応する数、ここでは平行四辺形、菱形、又は、正方形の形状に対応して４つの辺を有する多角形又は星形の形状に形成され得る。
【００２８】
スイッチ本体３の上面の法線は、寸法軸ｚを規定できるようにし、また、前記表面の平面は、横座標及び縦座標のそれぞれの２つの軸ｘ，ｙを含む。「上方」、「下方」、「上」、「下側」などの用語及び同等物は、前記法線によって与えられる寸法軸ｚに関して以下で使用される。
【００２９】
スイッチ本体３の下側には、フレーム９によって互いに連結されるプランジャ７を備える力伝達要素５が配置される。プランジャ７は４つあり、スイッチ本体３の特定の傾斜方向を表す各矢印の下側に配置される。
【００３０】
各プランジャ７の下側には電子スイッチ１１が配置され、電子スイッチ１１は、それが十分な力で押圧されると、制御モジュール１のユーザによる作動の電子的な認識のために使用される電気信号を生成する。
【００３１】
電子スイッチ１１は、特に、制御モジュール１の底部を形成して前記制御モジュール１の電子機器（電力適応、論理ゲート、車両の電気回路とのインタフェース）の少なくとも一部を支えるプリント回路基板上に実装され得る。
【００３２】
図２には、力伝達要素５が更に詳しく示される。図２は、前記力伝達要素５を平面図で示す。
【００３３】
平面図から、プランジャ７が多角形Ｐの頂点に配置されるのが分かり、多角形の辺の数Ｎは、主傾斜方向の数に対応し、ここでは４つ、したがって、プランジャ７及び電子スイッチ１１の数に対応している。したがって、この場合、多角形Ｐは、平行四辺形であり、特に菱形、より具体的には正方形である。
【００３４】
ここで、多角形Ｐの正方形の形状は、スイッチ本体３の円盤状の形状に端を発している。スイッチ本体３が特に一方向で細長い（楕円形又は引き伸ばされた菱形の形状）場合には、それに応じて多角形Ｐを引き伸ばすことができ、したがって、多角形Ｐが菱形又は平行四辺形となり得る。
【００３５】
プランジャ７は、それらと一体に形成されるフレーム９によって互いに連結される。特に、成形プラスチック材料から形成されるプランジャ７の場合には、フレームが成形中に得られ、力伝達要素がそのＮ個のプランジャを伴い、ここで、Ｎはスイッチ本体３の主傾斜方向の数であり、その後、フレーム９が一体部品を成して得られる。使用される材料は、とりわけ、特に架橋されたポリエチレン、ポリエステル、ポリウレタン、ゴムを含むことができる。
【００３６】
フレーム９は、プランジャ７に対して小さな断面の細長い部分を備える。プランジャ７は一般に長方形の断面を有し、この長方形は一般に２〜５ミリメートル（２〜５ｍｍ）まで変化する辺を伴い、フレーム９の細長い部分の断面は円形又は長方形であり、この円形又は長方形は、一般に、０．５ミリメートル〜１ミリメートル（０．５−１ｍｍ）程度の辺又は直径を伴う。この寸法の違いは、フレーム９が可撓性を有する状態でプランジャ７を比較的硬質となり得るようにし、これらの２つは同じプラスチック材料で構成される。
【００３７】
フレーム９は、それぞれがプランジャ７を部分的に取り囲む４つのバイパス部分１３を備える。バイパス部分１３は、ここでは、多角形Ｐの内側に開口する円形の部分の形態を成して形成される。他の実施形態は、多角形の形状のバイパス部分１３を備えるとができる。
【００３８】
また、フレーム９は、ここでは略正方形の閉じられた外側フレームを形成するように多角形Ｐ上の連続したバイパス部分１３を対にして連結する４つのリンク部分１５を備え、外側フレームの角は、プランジャ７を部分的に取り囲むバイパス部分１３の存在によって丸みを帯びている。
【００３９】
バイパス部分１３は、前記バイパス部分１３を対にして連結するリンク部分１５から多角形Ｐの内部へ向けて延在される。また、フレーム９は４つの制御ビーム１７も備え、該制御ビームは、所定のプランジャ７を、所定の方向、ここでは時計回り方向に多角形Ｐに沿って後続する次のプランジャ７を部分的に囲むバイパス部分１３に対して連結する。したがって、これらの制御ビーム１７は、ｎ（ｎは１〜Ｎの整数であり、Ｎはプランジャ７の数である）番目のプランジャ７を、多角形Ｐを所定の回転方向で辿ってｎ＋１番目にあるプランジャを部分的に囲むバイパス部分１３に連結し、Ｎ番目の制御ビーム１７は１番目のプランジャ７を取り囲むバイパス部分に連結される。
【００４０】
多角形Ｐの１つの同じ側にあるリンク部分１５及び制御ビーム１７は、ここでは直線であり、互いに平行であるとともに、それらが対応する多角形Ｐの辺に対して平行である。より良い理解のために、フレーム９の異なる部分は、図２では、点線のセグメントによって区切られる。
【００４１】
図３は、力伝達要素５の他の実施形態、特に、プランジャ７を支持するフレーム９の他の実施形態を示し、このフレーム９は図３では平面図で表される。
【００４２】
図３の実施形態は、プランジャ７を取り囲むバイパス部分１３を対にして連結するリンク部分１５と、プランジャ７を次のプランジャ７を取り囲むバイパス部分１３に対して連結する制御ビーム１７とが、それらの有効長を増大させる回旋部を備えるという点で図２の実施形態と異なる。
【００４３】
プランジャ７を取り囲むバイパス部分１３を対にして連結するリンク部分１５は、ここでは「ｓ」の形態を成す。前記リンク部分１５は、プランジャ７を取り囲む部分１３の延長部を成して引き伸ばされ、多角形Ｐの内部に向かって凸の曲線を描いた後、多角形Ｐの内部に向かって凹の曲線を描く。その後、前記リンク部分１５は、直角の接続部によってプランジャ７を取り囲むバイパス部分１３と交わる。
【００４４】
プランジャ７を次のプランジャ７を取り囲むバイパス部分１３に連結する制御ビーム１７は、プランジャ７を取り囲むバイパス部分１３を対にして連結するリンク部分１５と平行な線を辿り、次のプランジャ７を取り囲むバイパス部分１３に対する前記制御ビーム１７の接続部は、前記バイパス部分１３の連続的な延在部を成して形成される。
【００４５】
フレームのリンク部分１５、１７の有効長の増大は、隣接するプランジャ７が駆動されることなくプランジャ７の移動を増大させることができるようにする。
【００４６】
また、図３の形態は、異なる部分１３、１５、１７間の接続部を形成する屈曲部の数を減らすことを可能にもする。そのため、確かに、屈曲部は、それらが表す材料の幅の急激な変化により、応力集中領域であり、したがって、変形中の潜在的な破断点である。
【００４７】
図４ａ及び図４ｂは、前述の力伝達要素５を備える制御モジュール１の動作を示す。図４ａ、４ｂは、作動していない場合及び作動中のそれぞれにおける制御モジュール１の側面断面図である。
【００４８】
図４ａの実施形態において、スイッチ本体３は、ボールジョイントリンク１９の周りに関節結合され、凹部形成壁２１に対する前記スイッチ本体３の傾斜を可能にする。ボールジョイントリンク１９は特に弾性復帰手段を備え、この弾性復帰手段は、ユーザによる作動がない場合にスイッチ本体３の中立位置への復帰を確保する。
【００４９】
図４ａにその２つが見えるプランジャ７は、プランジャ７のための並進案内を成す円筒状凹部２３内に位置される。円筒状凹部２３は、スイッチ本体３の主傾斜方向の下側に位置される。プランジャ７は、図３に記載されるように、可撓性フレーム９によって互いに連結される。力伝達要素５を形成するプランジャ７及びフレーム９は、より良い理解のために図４ａ及び図４ｂに影付きで表される。
【００５０】
プランジャ７は、円形プレート２５によってフレーム９に接続され、その形状及びサイズは、プリント回路基板２７上の前記プレート２５の下側に位置される電子スイッチ１１の形状及びサイズに対応する。
【００５１】
図４ｂでは、ユーザがスイッチ本体３の左側に力Ｆを加え、それにより、スイッチ本体３がボールジョイントリンク１９を中心とする回転によって左に傾けられる。その結果、図４ｂの左側のプランジャ７は変位δだけ下げられ、したがって、下方に位置される電子スイッチ１１を押圧する。
【００５２】
電子スイッチ１１の押圧は、車両の制御ユニットにより認識される論理電子信号の送信を引き起こす。車両の制御ユニットは、その後、それに応じて、車両の機能モジュール（ヘッドライト、エアコン、窓制御器、マルチメディアプレーヤー）の動作を変更する。
【００５３】
制御モジュール１がバックミラーの向きを制御するために使用される場合、スイッチ本体３の左への傾斜は、バックミラーを対応する方向に傾斜させる電気モータの始動を引き起こす。
【００５４】
図５及び図６は、プランジャ７の数Ｎが４以外である力伝達要素５の他の実施形態を示す。
【００５５】
図５では、プランジャの数Ｎが２である（Ｎ＝２）。したがって、プランジャ７は、多角形Ｐの頂点ではなく、セグメントＳの両端に位置される。
【００５６】
したがって、この実施形態は、車両ドア窓の開閉を制御するのに適しており、この場合、２つの作動方向、すなわち、上Ｕ及び下Ｄは、窓の閉鎖及び開放にそれぞれ対応する。
【００５７】
フレーム９は、特に、プランジャ７を取り囲む２つ（Ｎ）のバイパス部分１３と、前記バイパス部分１３を対にして連結する２つ（Ｎ）のリンク部分１５と、プランジャ７を次のプランジャ７を取り囲むバイパス部分１３に連結する２つ（Ｎ）の制御ビーム１７とを備える。
【００５８】
図６では、プランジャの数Ｎが８個である（Ｎ＝８）。プランジャ７は、ここでは八角形、特に正八角形である多角形Ｐの頂点に位置される。
【００５９】
したがって、この実施形態は、図１、２、３、４ａ，４ｂに関連して説明したような上Ｕ、下Ｄ、左Ｌ、右Ｒの４つの方向に関して並びに４つの対角方向に関してプランジャ７を備える。
【００６０】
フレーム９は、特に、プランジャ７を取り囲む８個（Ｎ）のバイパス部分１３と、前記バイパス部分１３を対にして連結する８個（Ｎ）のリンク部分１５と、プランジャ７を次のプランジャ７を取り囲むバイパス部分１３に連結する８個（Ｎ）の制御ビーム１７とを備える。
【００６１】
他の実施形態は、異なる数Ｎのプランジャ７、プランジャ７を囲むバイパス部分１３、前記バイパス部分１３を対にして連結するリンク部分１５、及び、制御ビーム１を伴う。大きい数Ｎ（８、１２、又は、１６）は、スイッチ本体３の傾斜を更に細かく異ならせることができるようにするが、最終的な制御モジュール１のコンパクトさを低減する。
【００６２】
対応するフレーム９を伴う２つ及び４つのプランジャ７を有する実施形態は、ドアの窓の開閉を制御するために、及び、前記ドアに配置されたバックミラーの向きを制御するために、肘掛け又は車のドアに実装された制御装置の製造において示される。
【００６３】
本発明に係る力伝達要素５のフレーム９は、特に１つの同じ金型で成形することにより、前記プランジャ７と一体に形成されつつ、異なるプランジャ７の並進結合を低減できるようにする。したがって、力伝達要素５は、低価格でありながらコンパクトであり、操作が容易である。
【図１】
2020512672.tif 000003
【図２】
2020512672.tif 000004
【図３】
2020512672.tif 000005
【図４ａ】
2020512672.tif 000006
【図４ｂ】
2020512672.tif 000007
【図５】
2020512672.tif 000008
【図６】
2020512672.tif 000009
【国際調査報告】
2020512672.tif 000010
2020512672.tif 000011
2020512672.tif 000012
2020512672.tif 000013